(57)【要約】定常ガスエンジンにおける使用に適した低灰分、低リン潤滑組成物は、粘性潤滑油、１．５〜８重量％のスクシンイミド分散剤、０．８〜４．０重量％のヒンダードエステル置換フェノール抗酸化剤、および金属部分の重量の除いて１．１〜２．１重量％の硫酸塩部分またはフェネート部分を提供する量の少なくとも１種の金属含有硫酸塩界面活性剤または金属含有フェネート界面活性剤を含む。この潤滑剤は、０．００８重量％までのリンおよび１．２５％までの硫酸化灰分を含む。【特許請求の範囲】
【請求項１】
定常ガスエンジンにおいて使用するための低灰分、低リン潤滑性組成物であって、該組成物は、以下：
（ａ）粘性潤滑油；
（ｂ）約１．５〜約８重量％のスクシンイミド分散剤；
（ｃ）約０．８〜約４．０重量％のヒンダードエステル置換フェノール抗酸化剤；および
（ｄ）金属部分の重量の除いて１．１〜２．１重量％の硫酸塩部分またはフェネート部分を提供する量の、少なくとも１種の金属含有硫酸塩界面活性剤または金属含有フェネート界面活性剤；
を含む組成物であって、該組成物は、約０．０８重量％までのリンおよび約１．２５％の硫酸化灰分を含む、
組成物。
【請求項２】
前記スクシンイミド分散剤の量が、約２〜約６重量％である、請求項１に記載の組成物。
【請求項３】
前記スクシンイミド分散剤中のアミン誘導部分が縮合ポリアミンである、請求項１に記載の組成物。
【請求項４】
前記スクシンイミド分散剤中のアミン誘導化部分が、縮合ポリアミンである、請求項１に記載の組成物。
【請求項５】
前記成分（ｄ）の界面活性剤が、過塩基化界面活性剤である、請求項１に記載の組成物。
【請求項６】
前記組成物の前記硫酸化灰分値が、約０．２〜約１．２である、請求項１に記載の組成物。
【請求項７】
金属ジアルキルジチオホスフェートをさらに含む、請求項１に記載の組成物。
【請求項８】
前記組成物の前記リン含量が、約０．００５〜約０．０７重量％である、請求項１に記載の組成物。
【請求項９】
少なくとも１種の粘度調整剤または流動点降下剤をさらに含む、請求項１に記載の組成物。
【請求項１０】
少なくとも１種の摩擦調整剤をさらに含む、請求項１に記載の組成物。
【請求項１１】
請求項１の成分を合わせることによって調製される組成物。
【請求項１２】
定常ガスエンジンを潤滑する方法であって、該方法は、該エンジンに低灰分、低リン潤滑性組成物を供給する工程を包含し、該組成物は、以下：
（ａ）粘性潤滑油；
（ｂ）約１．５〜約８重量％のスクシンイミド分散剤；
（ｃ）約０．８〜約４．０重量％のヒンダードエステル置換フェノール抗酸化剤；および
（ｄ）金属部分の重量の除いて１．１〜２．１重量％の硫酸塩部分またはフェネート部分を提供する量の、少なくとも１種の金属含有硫酸塩界面活性剤または金属含有フェネート界面活性剤；
を含む組成物であって、該組成物は、約０．０８重量％までのリンおよび約１．２５％の硫酸化灰分を含む、
方法。
【発明の詳細な説明】
【技術分野】
【０００１】
（関連出願の相互参照）
本願は、米国仮出願６０／３８２，９６３（２００２年５月２４日出願）の優先権を主張する。
【背景技術】
【０００２】
（発明の背景）
本発明は、特に、定常ガスエンジンにおける高性能基準を提供する潤滑油組成物に関する。
【０００３】
エンジン、特に、定常ガスエンジンの性能特性を改善する絶え間ない必要性、およびそこで使用するための潤滑油の絶え間ない必要性がある。定常ガスエンジンは、代表的に、天然ガスおよび他の類似の燃料で作動するように設計された大きく、頑丈な固定エンジンである。このようなエンジンの傾向は、高性能潤滑剤が必要とするより小さい４サイクルのリーンバーンエンジンの開発を含む。
【０００４】
特定の課題を解決するための種々の潤滑組成物について報告された多数の研究が存在する。例えば、米国特許５，２５９，９６７号、Ｒｉｐｐｌｅ（１９９３年１１月９日）は、１％未満の硫酸灰分を提供し、カルボン酸分散剤の添加剤パッケージ、さび止め混合物、ヒドロカルビル置換フェノールおよび中性酸またはフェノールを含む、潤滑油を開示する。この潤滑剤は、ガソリンおよびディーゼルエンジンにおいて使用され得る。
【０００５】
欧州特許公開ＥＰ７２５１２９  Ａ（１９９６年８月７日）は、低硫酸灰分潤滑油組成物を開示し、この組成物は、粘性潤滑油、カルシウム過塩基化酸性物質、マグネシウム過塩基化材料およびアルキレン結合ヒンダードフェノール抗酸化剤と別の抗酸化剤との組み合わせを含み、定常ガスエンジンを潤滑するために特に有用である。
【０００６】
ＰＣＴ特許公開ＷＯ０１／７４９７８（２００１年１０月１１日）は、潤滑添加剤として使用するために適した組成物を開示し、この組成物は、エステル置換ヒンダードフェノール抗酸化剤、および界面活性剤または分散剤のような潤滑剤として適切な他の添加剤を含む。
【０００７】
米国特許第６，１４７，０３５号、Ｓｏｕｇａｗａら（２０００年１１月２４日）は、過塩基化金属サリチル酸塩、アミン抗酸化剤、フェノール抗酸化剤、ポリアルケニルスクシンイミド、および亜鉛ジアルキルチジオホスフェートを含む潤滑油組成物を開示する。この潤滑剤は、ガスエンジン熱ポンプ用の長寿命エンジンオイルとして適切である。
【発明の開示】
【発明が解決しようとする課題】
【０００８】
多くの定常ガス潤滑剤処方物は、現場の使用の間に所望でない量のピストン堆積物を生じる。作動中の潤滑剤の高レベルのニトロ化と、受け入れがたいピストン堆積物との間に相関関係が存在することが観察されている。本発明は、潤滑剤のニトロ化の程度を低減することによって、このようなエンジン中のピストン堆積物を改善することに焦点を当てる。
【課題を解決するための手段】
【０００９】
（発明の要旨）
従って、本発明は、定常ガスエンジンにおける使用に適した低灰分、低リン潤滑組成物を提供し、この組成物は、以下：
（ａ）粘性潤滑油；
（ｂ）１．５〜８重量％のスクシンイミド分散剤；
（ｃ）０．８〜４．０重量％のエステル置換ヒンダードフェノール抗酸化剤；および
（ｄ）金属部分の重量を除いて１．１〜２．１重量％の硫酸塩またはフェネート部分を提供する量の、少なくとも１種の金属含有硫酸塩界面活性剤または金属含有フェネート界面活性剤、
を含み、この潤滑剤は、０．０８重量％までのリンおよび１．２５％までの硫酸塩灰分を含む。
【００１０】
本発明はまた、定常ガスエンジンを潤滑する方法を提供し、この方法は、このエンジンに上記の潤滑剤を供給する工程を包含する。
【００１１】
（発明の詳細な説明）
種々の好ましい特徴および実施形態は、非限定的な例示として以下に記載される。
【００１２】
本発明の潤滑剤は、火花点火内燃機関および圧力点火内燃機関（自動車およびトラック用エンジン、２サイクルエンジン、飛行機用ピストンエンジン、ならびに船舶および鉄道用ディーゼルエンジン）のためのクランクケース潤滑油を含む。これらはまた、ガスエンジン、固定出力エンジンおよびタービンにおいて使用され得る。オートマティックトランスミッション液、トランスアクスル潤滑剤、ギア潤滑剤、金属作動潤滑剤、作動液および他の潤滑油、ならびにグリス組成物もまた、本発明の組成物中に組み込むことにより有益であり得る。
【００１３】
（粘性潤滑油）
粘性潤滑油としては、天然および合成の潤滑油ならびにそれらの混合物が挙げられる。
【００１４】
天然油としては、動物性油および植物性油（例えば、ヒマシ油、ラード油）、ならびに液体石油およびパラフィン系、ナフテン系またはパラフィン−ナフテン混合系の溶媒処理または酸処理した鉱物潤滑油が挙げられる。石炭または頁岩由来の粘性潤滑油もまた、有用な基油である。合成潤滑油としては、炭化水素油（例えば、ポリマーオレフィンおよびインターポリマーオレフィン（例えば、ポリブチレン、ポリプロピレン、プロピレン−イソブチレンコポリマー、ポリ（１−ヘキセン）、ポリ（１−オクテン）、ポリ（１−デセン）、およびこれらの混合物））；アルキルベンゼン（例えば、ドデシルベンゼン、テトラデシルベンゼン、ジノニルベンゼン、およびジ（２−エチルヘキシル）−ベンゼン）；ポリフェニル（例えば、ビフェニル、ターフェニル、およびアルキル化ポリフェニル）、アルキル化ジフェニルエーテルおよびアルキル化ジフェニルスルフィド、ならびにその誘導体、アナログおよびホモログが挙げられる。
【００１５】
末端ヒドロキシル基が、エステル化、エーテル化または類似の反応により修飾されたアルキレンオキシドポリマーおよびインターポリマー、ならびにそれらの誘導体は、別の種類の公知の合成潤滑油を構成する。これらは、エチレンオキシドまたはプロピレンオキシドの重合によって調製された油、これらのポリオキシアルキレンポリマーのアルキルエーテルおよびアリールエーテルによって例示される。
【００１６】
別の適切な種類の合成潤滑油は、種々のアルコール（例えば、ブチルアルコール、ヘキシルアルコール、ドデシルアルコール、２−エチルヘキシルアルコール、エチレングリコール、ジエチレングリコールモノエーテル、およびプロピレングリコール）と、ジカルボン酸（例えば、フタル酸、コハク酸、アルキルコハク酸およびアルケニルコハク酸、マレイン酸、アゼライン酸、スベリン酸、セバシン酸、フマル酸、アジピン酸、リノレン酸ダイマー、マロン酸、アルキルマロン酸、およびアルケニルマロン酸）とのエステルを含む。これらのエステルの特定の例としては、ジブチルアジペート、ジ（２−エチルヘキシル）セバケート、ジ−ｎ−ヘキシルフマレート、ジオクチルセバケート、ジイソオクチルアゼレート、ジイソオクチルアゼレート、ジイソデシルアゼレート、ジオクチルフタレート、ジデシルフタレート、ジエイコシルセバケート、リノール酸ダイマーの２−エチルヘキシルジエステル、および１モルのセバシン酸と２モルのテトラエチレングリコールおよび２モルの２−エチルヘキサン酸とを反応させることによって形成される複合エステルが挙げられる。
【００１７】
合成油として有用なエステルとしてはまた、Ｃ５〜Ｃ１２モノカルボン酸、およびポリオールおよびポリオールエステル（例えば、ネオペンチルグリコール、トリメチロールプロパン、ペンタエリスリトール、ジペンタエリスリトールおよびトリペンタエリスリトール）から作製されるエステルが挙げられる。エステルはまた、モノエステル（例えば、Ｐｒｉｏｌｕｂｅ  １９７６ＴＭ（Ｃ１８−アルキル−ＣＯＯ−Ｃ２０アルキル）との商品名で入手可能なもの）であり得る。
【００１８】
上に開示されたタイプの未精製、精製または再精製の油（および互いとの混合物）が、本発明の潤滑組成物で使用され得る。使用され得る他の油は、例えば、Ｆｉｓｃｈｅｒ−Ｔｒｏｐｓｃｈ処理を含む処理のような、ガス−液体プロセスから調製される油である。
【００１９】
本発明の十分に配合された潤滑剤中の潤滑剤（添加パッケージ中に存在する希釈剤またはキャリア油を含む）の量は、代表的に、８０〜９９．５重量％、好ましくは８５〜９６重量％、より好ましくは９０〜９５重量％である。潤滑油はまた、本発明の添加剤を高濃度で含む濃縮物を調製するために使用され得る。濃縮物中のこのような油の量は、代表的に、２０〜８０重量％である。
【００２０】
（スクシンイミド分散剤）
スクシンイミド分散剤は、潤滑剤の分野で周知であり、これは主に、灰分形成金属を含まず、かつ潤滑剤に添加された場合に、通常はいかなる灰分形成金属にも寄与しないため、時折「無灰」分散剤と称される分散剤を含む。スクシンイミド分散剤は、ヒドロカルビル置換コハク酸アシル化剤と、有機ヒドロキシ化合物、または好ましくは窒素原子に結合した少なくとも１つの水素を含むアミン、またはこのヒドロキシ化合物とアミンの混合物、との反応生成物である。用語「コハク酸アシル化剤」とは、炭化水素置換コハク酸またはコハク酸生成化合物（これはまた酸自体を包含する）をいう。このような物質は、代表的に、ヒドロカルビル置換コハク酸、無水物、エステル（ハーフエステルを含む）およびハライドを含む。
【００２１】
コハク酸ベースの分散剤は、代表的に以下のような構造を含む種々の化学構造を有する：
【００２２】
【化１】
2005526897.tif 000002
上記の構造において、各Ｒ１は、独立して、ヒドロカルビル基、好ましくは、５００または７００〜１０，０００の数平均分子量を有するポリオレフィン由来の基である。代表的に、ヒドロカルビル基は、アルキル基であり、しばしば、５００または７００〜５０００の分子量、好ましくは１５００または２０００〜５０００の分子量を有するポリイソブチル基である。別の表現では、Ｒ１基は、４０〜５００個の炭素原子、好ましくは少なくとも５０個（例えば、５０〜３００個の炭素原子）、好ましくは脂肪族炭素原子を含み得る。Ｒ２は、アルキレン基、通常は、エチレン（Ｃ２Ｈ４）基である。このような分子は、通常、アルケニルアシル化剤とポリアミンとの反応によって誘導され、そして上に示される単純なイミド構造に加えて２つの分子間の種々の結合が可能であり、これは、種々のアミドおよび４級アンモニウム塩を含む。スクシンイミド分散剤は、米国特許第４，２３４，４３５号および同第３，１７２，８９２号により十分に記載される。
【００２３】
置換基が誘導されるポリアルケンは、代表的に、２〜１６個の炭素原子、通常は２〜６個の炭素原子の重合可能なオレフィンモノマーのホモポリマーまたはインターポリマーである。
【００２４】
ポリアルケンが誘導されるオレフィンモノマーは、１つ以上のエチレン性不飽和基（すなわち、＞Ｃ＝Ｃ＜）の存在によって特徴付けられる重合可能なオレフィンモノマーである；すなわち、これらは、モノオレフィンモノマー（例えば、エチレン、プロピレン、１−ブテン、イソブテンおよび１−オクテン）またはポリオレフィンモノマー（通常は、ジオレフィンモノマー）（例えば、１，３−ブタジエン）およびイソプレン）である。これらのオレフィンモノマーは、通常、重合可能な末端オレフィンである；すなわち、その構造中の＞Ｃ＝ＣＨ２基の存在によって特徴付けられるオレフィンである。比較的少量の非炭化水素置換基が、このオレフィン中に含まれ得るが、ただし、このような置換基は、置換コハク酸アシル化剤の形成を実質的に妨害しない。
【００２５】
各Ｒ１基は、１つ以上の反応性基（例えば、コハク酸基）を含み得、従って、以下のような構造によって表される（アミンとの反応の前）：
【００２６】
【化２】
2005526897.tif 000003
ここで、ｙは、Ｒ１基に結合したこのようなコハク酸基の数である。１つのタイプの分散剤において、ｙ＝１である。別のタイプの分散剤において、ｙは、１より大きく、好ましくは、１．３より大きいか、または１．４より大きく；そしてもっとも好ましくは、ｙは、１．５以上である。好ましくは、ｙは、１．４〜３．５であり、特に、１．５〜３．５であり、最も特に１．５〜２．５である。もちろん、異なる特定のＲ１鎖が異なる数のコハク酸基と反応し得るので、ｙの少数値が生じ得る。
【００２７】
コハク酸アシル化剤と反応してカルボン酸分散剤組成物を形成するアミンは、モノアミンまたはポリアミンであり得る。いずれかの場合において、これらは、式Ｒ４Ｒ５ＮＨによって特徴付けられ、ここで、Ｒ４およびＲ５の各々は、独立して、水素または炭化水素、アミノ置換炭化水素、ヒドロキシ置換炭化水素、アルコキシ置換炭化水素、アミノ、カルバミル、チオカルバミル、グアニル、およびアシルイミドイル基であるが、ただし、Ｒ４およびＲ５のうち１つより多くは水素である。従って、すべての場合において、これらは、その構造中の少なくとも１つのＨ−Ｎ＜基の存在によって特徴付けられる。従って、これらは、少なくとも１つの１級アミノ（すなわち、Ｈ２Ｎ−）または２級アミノ（すなわち、Ｈ−Ｎ＜）基を有する。モノアミンの例としては、エチルアミン、ジエチルアミン、ｎ−ブチルアミン、ジ−ｎ−ブチルアミン、アルキルアミン、イソブチルアミン、ココアミン、ステアリルアミン、ラウリルアミン、メチルラウリルアミン、オレイルアミン、Ｎ−メチル−オクチルアミン、ドデシルアミンおよびオクタデシルアミンが挙げられる。
【００２８】
分散剤が誘導されるポリアミンとしては、主に、大部分が以下の式に従うアルキレンアミンが挙げられ：
【００２９】
【化３】
2005526897.tif 000004
ここで、ｔは、好ましくは１０未満の整数であり、Ａは、水素、または好ましくは３０個までの炭素原子を有するヒドロカルビル基であり、アルキレン基は、好ましくは、８個未満の炭素原子を有するアルキレン基である。アルキレンアミンとしては、主に、メチレンアミン、エチレンアミン、ヘキシレンアミン、ヘプチレンアミン、オクチレンアミン、他のポリメチレンアミンが挙げられる。これらは、特に以下によって例示される：エチレンジアミン、ジエチレントリアミン、トリエチレンテトラミン、プロピレンジアミン、デカメチレンジアミン、オクタメチレンジアミン、ジ（ヘプタメチレン）トリアミン、トリプロピレンテトラミン、テトラエチレンペンタミン、トリメチレンジアミン、ペンタエチレンヘキサミン、ジ（トリメチレン）トリアミン。高級同族体（例えば、２種以上の上記のアルキレンアミンを同様に縮合することによって得られるもの）が有用である。テトラエチレンペンタミンは、特に有用である。
【００３０】
エチレンアミン（ポリエチレンポリアミンとも称される）は、特に有用である。これらは、Ｅｎｃｙｃｌｏｐｅｄｉａ  ｏｆ  Ｃｈｅｍｉｃａｌ  Ｔｅｃｈｎｏｌｏｇｙ，ＫｉｒｋおよびＯｔｈｍｅｒ、第５巻、ｐｐ９８９−９０５、Ｉｎｔｅｒｓｃｉｅｎｃｅ  Ｐｕｂｌｉｓｈｅｒｓ，Ｎｅｗ  Ｙｏｒｋ（１９５０）において、「Ｅｔｈｙｌｅｎｅ  Ａｍｉｎｅｓ」との表題でいくぶん詳細に記載されている。
【００３１】
ヒドロキシアルキル置換アルキレンアミン（すなわち、窒素原子上に１つ以上のヒドロキシアルキル置換基を有するアルキレンアミン）もまた同様に有用である。このようなアミンの例としては、Ｎ−（２−ヒドロキシエチル）エチレンジアミン、Ｎ，Ｎ’−ビス（２−ヒドロキシ−エチル）−エチレンジアミン、１−（２−ヒドロキシエチル）−ピペラジン、モノヒドロキシプロピルピペラジン、ジ−ヒドロキシプロピル置換テトラエチレンペンタミン、Ｎ−（３−ヒドロキシプロピル）−テトラ−メチレンジアミン、および２−ヘプタデシル−１−（２−ヒドロキシエチル）−イミダゾリンが挙げられる。
【００３２】
上記のアルキレンアミンまたはヒドロキシアルキル置換アルキレンアミンのアミノラジカルまたはヒドロキシラジカルによる凝集によって得られるような、より高い相同体は、同様に有用である。縮合ポリアミンは、少なくとも１種のヒドロキシ化合物と、少なくとも１種の一級または二級アミン基を含む少なくとも１種のポリアミン反応物との縮合反応によって形成され、そして米国特許第５，２３０，７１４号（Ｓｔｅｃｋｅｌ）に記載される。
【００３３】
スクシンイミド分散剤は、通常イミド官能基の形態で大部分の窒素を含むので、このようにいわれるが、アミン塩、アミド、イミダゾリンならびにそれらの混合物の形態であり得る。スクシンイミド分散剤を調製するために、１つ以上コハク酸生成化合物および１つ以上のアミンを、代表的に水の除去と共に、必要に応じて通常の液体（実質的に不活性有機液体溶媒／希釈剤）の存在下で、加温（一般的に、８０℃〜混合物または生成物の分解点の範囲；代表的に１００℃〜３００℃）で、加熱する。
【００３４】
コハク酸のアシル化剤およびアミン（もしくは有機ヒドロキシ化合物またはそれらの混合物）を、代表的に、アミン（または場合に応じて、ヒドロキシ化合物）の酸生成化合物の等量あたり少なくとも２分の１等量を提供するのに十分な量で反応させる。一般的に、存在するアミンの最大量は、コハク酸のアシル化剤の等量あたりアミン約２モルである。本発明の目的について、アミンの等量は、アミンの全量を存在する窒素原子の総数で割ったものに対応するアミンの量である。コハク酸生成化合物の等量の数は、化合物に存在するコハク酸基の数と共に変化し、一般的に、アシル化剤中の各コハク酸基について２等量のアシル化剤が存在する。本発明のスクシンイミド分散剤を調製するための手順のさらなる詳細および実施例は、例えば、米国特許第３，１７２，８９２号；同第３，２１９，６６６号；同第３，２７２，７４６号；および同第４，２３４，４３５号に含まれる。
【００３５】
分散剤は、ホウ化物質であり得る。ホウ化分散剤は、周知の物質であり、そしてホウ酸のようなホウ化試薬で処理されることによって調製され得る。代表的な条件は、ホウ酸を有する分散剤を１００〜１５０℃で加熱することを包含する。分散剤はまた、ＰＣＴ出願ＵＳ９９／２３９４０（１９９９年１０月１３日に出願）に記載されるような無水マレイン酸との反応によって処理され得る。
【００３６】
完全に処方された潤滑剤中のスクシンイミド分散剤の量は、代表的に１．５〜８重量％、好ましくは１．７５〜７重量％または２〜６重量％、およびより好ましくは、２．２．〜５．５重量％である。濃縮物中のその濃度は、例えば、１．５〜８０重量％まで対応して増加する。
【００３７】
（ヒンダードフェノール抗酸化剤）
ヒンダードエステル置換フェノール抗酸化剤は、代表的に以下：
【００３８】
【化４】
2005526897.tif 000005
の式のアルキルフェノールであり、
ここで、Ｒ４は、１〜２４個の炭素原子を含むアルキル基であり、そしてａは、１〜５の整数である。好ましくはＲ４は、４〜１８個の炭素原子を含み、最も好ましくは、４〜１２個の炭素原子を含む。Ｒ４は、直鎖または分枝鎖のいずれかであり得る；分枝鎖が一般的に好ましい。ａの好ましい値は、１〜４であり、最も好ましくは１〜３であり、特に２が好ましい。好ましいアルキレン基は、２または３個のｔ−ブチル基を含むブチル置換フェノールである。Ｒ５は、アルキレン基であり、好ましくは１〜８または２〜４個の炭素原子であり、そしてＥは、エステル基であり（すなわち、−Ｃ（Ｏ）ＯＲ３）、ここでＲ３は、さらに以下に記載されるようなヒドロカルビルである。
【００３９】
ａが２である場合、ｔ−ブチル基は、好ましくは２，６−位を占有する（すなわち、フェノールは、立体的にヒンダードである）。
【００４０】
【化５】
2005526897.tif 000006
特に好ましい抗酸化剤は、以下
【００４１】
【化６】
2005526897.tif 000007
の式によって表されるヒンダードエステル置換フェノールであり、
ここでＲ３は、２〜２２個の炭素原子、好ましくは２〜８、２〜６または４〜８個の炭素原子、およびより好ましくは４または８個の炭素原子を含む直鎖または分枝鎖のアルキル基である。Ｒ３は、２−エチルヘキシル基またはｎ−ブチル基が所望される。
【００４２】
ヒンダードエステル置換フェノールは、塩基性触媒条件（例えば、ＫＯＨ水溶液）下で、アシル化エステルと共に２，６−ジアルキルフェノールを加熱することによって調製され得る。このような物質およびこれらの調製は、ＰＣＴ特許公開ＷＯ０１／７４９７８により詳細に記載される。
【００４３】
ヒンダードエステル置換フェノール抗酸化剤の量は、組成物の０．８〜４．０重量％、好ましくは０．８５または０．９または１または１．２％〜３．７５または３．５または３．０または２．０％である。従って、好ましい範囲は、１〜３．７５重量％であり得る。ある濃度で使用される場合、量は、例えば、８〜４０重量％で比例して高くなる。
【００４４】
（金属含有界面活性剤）
本発明はまた、金属含有ホスホネート界面活性剤または金属含有フェネート界面活性剤を含む。一般的に界面活性剤は塩であり、そして一般的に酸性有機化合物（すなわち、スルホン酸またはフェノール）の塩基性アルカリ塩またはアルカリ土類金属塩である。これらの塩は、一般的に（しかし必ずしもそうではないが）、過塩基化物質（ｏｖｅｒｂａｓｅｄ  ｍａｔｅｒｉａｌ）である。過塩基化物質はまた、金属およびその金属と反応した特定の酸性有機化合物の化学量論に従って存在する過剰な金属含有量により特徴付けられる単一相の、均質なニュートン系である。過塩基化界面活性剤中の過剰な金属量は、一般的に、金属比で表される。用語「金属比」は、酸性有機化合物の当量に対する金属の総当量の比である。中性金属塩は、金属比１を有する。通常の塩の４．５倍の金属を有する塩は、３．５当量の金属過剰（すなわち、金属比４．５）を有する。
【００４５】
本発明の過塩基化金属の塩基性は、総塩基数（ｔｏｔａｌ  ｂａｓｅ  ｎｕｍｂｅｒ）（ＡＳＴＭ  Ｄ−２８９６）で表され得る。総塩基数は、過塩基化金属の塩基性の全てを中和するのに必要とされる酸（過塩素酸または塩化水素）の量である。酸の量は、水酸化カリウム当量（ｍｇＫＯＨ／ｇサンプル）で表される。
【００４６】
過塩素化物質は、酸性物質（代表的には、無機酸または低級カルボン酸、好ましくは二酸化炭素）と、酸性有機化合物、スルホン酸またはフェノールに対して不活性な少なくとも１つの有機溶媒（例えば、鉱油、ナフサ、トルエン、またはキシレン）を含有する反応媒体、化学量論過剰の金属塩基、および促進物質（ｐｒｏｍｏｔｅｒ）を含む混合物とを反応させることにより調製される。
【００４７】
本発明の界面活性剤を生成するのに有用なスルホン酸としては、スルホン酸およびチオスルホン酸が挙げられる。一般的に、これらはスルホン酸の塩である。スルホン酸としては、単核または多核芳香族または環状脂肪族化合物が挙げられる。油溶性スルホン酸は、その主要部が以下の式のうちのひとつにより表され得る：Ｒ２−Ｔ−（ＳＯ３−）ａおよびＲ３−（ＳＯ３−）ｂ（ここで、Ｔは、環状の核（例えば、ベンゼンまたはナフタレン）であり；Ｒ２は、脂肪族基（例えば、アルキル、アルケニル、アルコキシ、またはアルコキシアルキル）であり；そしてＲ３は、少なくとも１５個の炭素原子を含む脂肪族ヒドロカルビル基である。
【００４８】
これらのスルホン酸の例としては、モノエイコサニル置換ナフタレンスルホ酸、ドデシルベンゼンスルホン酸、ジドデシルベンゼンスルホン酸、ジノニルベンゼンスルホン酸、ジラウリルβ−ナフタレンスルホン酸、および５００〜５０００の範囲の数平均分子量（
【００４９】
【化７】
2005526897.tif 000008
）を有するポリブテンのクロロスルホン酸処理により得られるスルホン酸が挙げられる。スルホン酸の別のグループは、モノ−、ジ−、およびトリ−アルキル化ベンゼンおよびナフタレンスルホン酸である。
【００５０】
油溶性スルホン酸の特定の例は、マホガニー（ｍａｈｏｇａｎｙ）スルホン酸；ブライトストックスルホン酸；他の置換スルホン酸（例えば、アルキルベンゼンスルホン酸）；およびアルカリルスルホン酸（例えば、ドデシルベンゼン「ボトム」スルホン酸である。ドデシルベンゼン「ボトム」は、家庭用界面活性剤用のドデシルベンゼンスルホン酸を生成するのに使用されるドデシルベンゼンの除去後の残留物質である。これらの物質は一般的に、ジアルキル化ベンゼンまたは高級オリゴマーとアルキル化したベンゼンである。ボトムは、直鎖アルキレートまたは分枝鎖アルキレートであり得、直鎖ジアルキレートが好ましい。
【００５１】
界面活性剤製造副産物（例えば、ＳＯ３との反応による）からのスルホネートの生成は、当業者に周知である。例えば、論説「Ｓｕｌｆｏｎａｔｅ」（Ｋｉｒｋ−Ｏｔｈｍｅｒ「Ｅｎｃｙｃｌｏｐｅｄｉａ  ｏｆ  Ｃｈｅｍｉｃａｌ  Ｔｅｃｈｎｏｌｏｇｙ」、第二版、第１９巻、２９１ページ参照、Ｊｏｈｎ  Ｗｉｌｅｙ  ＆  Ｓｏｎｓ，Ｎ．Ｙ．（１９６９）出版）を参照のこと。
【００５２】
本発明の界面活性剤を生成するのに有用なフェノールは、式（Ｒ１）ａ−Ａｒ−（ＯＨ）ｂにより表され得る（ここで、Ｒ１は、芳香族基Ａｒに直接結合したヒドロカルビル基である）。Ｒ１は、好ましくは、６〜８０個の炭素原子、好ましくは６〜３０個または８〜１５個または２５個の炭素原子を含有する。Ｒ１基は、上記ポリアルケンの一つ以上から誘導され得る。Ｒ１基の例としては、ブチル、イソブチル、ペンチル、オクチル、ノニル、ドデシル、および上記ポリアルケンから誘導される置換基（例えば、ポリエチレン、ポリプロピレン、ポリイソブチレン、エチレン−プロピレンコポリマー、および酸化エチレンプロピレンコポリマー）が挙げられる。
【００５３】
上式において、Ａｒは芳香族基であり、そしてａおよびｂは独立して、少なくとも１の数であり、ａおよびｂの和は２から芳香族核またはＡｒ核上の置換可能な水素の数までの範囲である。好ましくは、ａおよびｂは各々１〜４、より好ましくは１〜２である。好ましくは、各々のフェノール化合物について平均少なくとも８個の脂肪族炭素原子が存在する。
【００５４】
用語「フェノール」が本明細書中で使用される場合、この用語はフェノールの芳香族基をベンゼンに限定することを意図しないことが理解されるべきである。従って、「Ａｒ」で表される芳香族基（および本明細書中のその他）は、単核（例えば、フェノール、ピリジル、またはチエニル）または縮合型もしくは結合（架橋）型の多核であり得ることが理解されるべきである。特に、「フェノール」は、米国特許第６，３１０，００９号（サリゲニン誘導体界面活性剤）および米国特許第６，２００，９３６号ならびにＰＣＴ公報ＷＯ０１／５６９６８（サリキサレート界面活性剤）により詳細に開示されるヒドロカルビル置換架橋構造および置換フェノール構造を含むことが意図される（両方の型は、一般的に、アルキレン（例えば、メチレン）架橋基で架橋された複数のヒドロカルビル置換フェノール芳香族環を含む。
【００５５】
塩基性金属塩を生成するのに有用な金属化合物は、好ましくは、第１属または第２属のいずれかの金属化合物（ＣＡＳ版の元素周期表）である。第１属金属の金属化合物としては、第１ａ属アルカリ金属（ナトリウム、カリウム、リチウムなど）および第１ｂ属金属（例えば、銅）が挙げられる。第１属金属は、好ましくは、ナトリウム、カリウム、リチウム、および銅であり、より好ましくはナトリウムまたはカリウムであり、そしてより好ましくはナトリウムである。第２属金属の金属塩基としては、第２ａ属アルカリ土類金属（例えば、マグネシウム、カルシウム、およびバリウム）および第２ｂ属金属（例えば、亜鉛またはカドミウム）が挙げられる。好ましくは、第２属金属は、マグネシウム、カルシウム、バリウム、または亜鉛であり、好ましくは、マグネシウムまたはカルシウムであり、より好ましくは、カルシウムである。一般的には、金属化合物は、金属塩として送達される。塩のアニオン部分は、水酸化物、酸化物、炭酸塩、ホウ酸塩、または硝酸塩である。
【００５６】
スルホネート界面活性剤およびフェネート界面活性剤の混合物が使用され得、そして、実際、他の酸置換基（例えば、カルボン酸）に基づく界面活性剤もまた存在し得る。特定の型の置換基は、同じ芳香族環上のカルボン酸官能基およびフェノール官能基の両方を含み得る（例えば、サリチレート）。サリチレートは、本発明の組成物中に含み得るが、それらはフェネート界面活性剤として数えることが考慮されるべきでない。
【００５７】
上記スルホン酸および他の酸の塩基性塩を生成するための技術を詳細に記載している特許としては、米国特許第２，５０１，７３１号；同第２，６１６，９０５号；同第２，６１６，９１１号；同第２，６１６，９２５号；同第２，７７７，８７４号；同第３，２５６，１８６号；同第３，３８４，５８５号；同第３，３６５，３９６号；同第３，３２０，１６２号；同第３，３１８，８０９号；同第３，４８８，２８４号；および同第３，６２９，１０９号が挙げられる。
【００５８】
過塩基化界面活性剤はまた、ホウ酸塩化複合体であり得る。この型のホウ酸化複合体は、ホウ酸と共に塩基性金属界面活性剤を５０〜１００℃で加熱することによって調製され得、ホウ酸の当量数は、この塩の金属の当量数とほぼ等しい。米国特許第３，９２９，６５０号は、ホウ酸化複合体およびそれらの調製を開示する。
【００５９】
本発明の組成物中の界面活性剤の量は、便宜上、酸性基質（スルホン酸またはフェノール部分）の量で表される（通常は過塩基化界面活性剤の一部である金属および他の成分（例えば、ＣＯ３−２）の重量を除く）。従って、基質の量は、潤滑処方物の少なくとも１．１重量％、好ましくは少なくとも１．２または１．３重量％であるべきである。上限は特に重要でないが、実施目的では基質の量は、一般的に、５％または４％、好ましくは２％または２％を超えない。従って、好ましい範囲は、１．２〜２重量％、または例えば、約１．３２％であり得る。濃縮物においては、その量は、例えば、少なくとも１０％までそれに対応して増加する。存在する酸性基質の量を計算する目的では、ヒンダードフェノール抗酸化剤の量は含まれない。
【００６０】
本発明において、所望の場合、その組成物に望ましくない過剰な金属を提供しないように、界面活性剤に対して比較的多量の基質が提供され得る。すなわち、界面活性剤は、比較的低ＴＢＮ処方（すなわち、比較的低い金属比を有する）において供給される。一つの実施形態において、界面活性剤（その市販形態では、従来通りの量の希釈油を含む（代表的には、界面活性剤処方物の４０〜５０％である））は、２１０未満のＴＢＮを示す。処方物中の金属量（（硫酸化灰分（Ｓｕｌｆａｔｅｄ  Ａｓｈ），ＡＳＴＭ  Ｄ−８７４として表される）が、１．２５または１．２または１．１または１．０重量％であることがしばしば望ましく、０．８または０．５重量％であることさえしばしば望ましい。硫酸化灰分についての合理的な下限は、０．２または０．３％であり得、従って、好ましい範囲は０．２〜１．２％および０．３〜１．０％である。Ｓｕｌｆａｔｅｄ  Ａｓｈ含有量は、金属含有界面活性剤の量および全ての他の金属源に依存する。
【００６１】
（任意物質）
本発明の組成物はまた、潤滑組成物中で一般的に見出される他の成分を含み得るし、またはそれらを排除し得る。一つのこのような物質は、リン酸の金属塩である。以下の式：
【００６２】
【化８】
2005526897.tif 000009
の金属塩（ここでＲ８およびＲ９は、独立して、３〜３０個の炭素原子を含むヒドロカルビル基である）が、五硫化リン（Ｐ２Ｓ５またはＰ４Ｓ１０）とアルコールまたはフェノールを反応させ、以下の式：
【００６３】
【化９】
2005526897.tif 000010
に対応するＯ，Ｏ−ジヒドロカルビルホスホールホスホロジチオ酸を形成することによって容易に取得可能である。
【００６４】
この反応は、２０〜２００℃の温度で、４モルのアルコールまたはフェノールと、１モルの五硫化リンとを混合する工程を包含する。この反応において硫化水素が遊離する。次いで、酸を塩基性金属化合物と反応させて塩を形成させる。バランスｎを有する金属Ｍは、一般的にアルミニウム鉛、スズ、マグネシウム、コバルト、ニッケル、亜鉛、または銅であり、そして最も好ましくは亜鉛である。従って、塩基性金属化合物は、好ましくは、酸化亜鉛であり、そして得られる金属化合物は、以下の式：
【００６５】
【化１０】
2005526897.tif 000011
により表される。
【００６６】
Ｒ８基およびＲ９基は、独立してヒドロカルビル基であり、好ましくは、アセチレンを含まず、そして通常は、エチレン不飽和物を含まない。それらは代表的に、アルキル、シクロアルキル、アラルキル、またはアルカリル基であり、３〜２０個の炭素原子、好ましくは３〜１６個の炭素原子、および最も好ましくは１３個までの炭素原子（例えば、３〜１２個の炭素原子）を有する。Ｒ８基およびＲ９基を提供するよう反応するアルコールは、１つ以上の第１級アルコール、１つ以上の第２級アルコール、１つ以上の第２級アルコールと１つ以上の第１級アルコールの混合物であり得る。２つの第２級アルコールの混合物（例えば、イソプロパノールおよび４−メチル−２−ペンタノール）がしばしば望ましい。
【００６７】
このような物質は、しばしば、ジアルキルジチオリン酸亜鉛または単にジチオリン酸亜鉛と称される。それらは周知であり、そして潤滑処方物の分野の当業者にとっては容易に入手可能である。
【００６８】
完全に処方された潤滑剤中のリン酸の金属塩の量は、存在する場合、代表的に０．１〜５重量％、好ましくは０．３〜２重量％、そしてより好ましくは０．５〜１．５重量％である。濃縮物におけるその濃度は、例えば、５〜６０重量％までそれに対応して増加する。最終処方物において、リンの総量は、最大０．０８重量％、好ましくは０．０７重量％、０．０６％またはそれ以下であることが好ましい。代表的には、潤滑剤は、リンを完全に含まないわけではなく、例えば、０．００５または０．０１％のリンを含む。従って、本発明の１つの実施形態は、０．００５〜０．０７％のリン（例えば、０．０２〜０．０６％）を含み得る。
【００６９】
他の一般的な添加物が使用され得る。これらとしては、腐食防止剤、極圧剤、および耐摩耗剤が挙げられ、これらとしては、塩素化脂肪族炭化水素；ホウ素含有化合物（ホウ酸エステルを含む）；およびモリブデン化合物が挙げられる。粘度改善剤としては、ポリイソブテン、ポリメチルアクリル酸エステル、ポリアクリル酸エステル、ジエンポリマー、ポリアルキルスチレン、アルケニルアリール結合ジエンコポリマー、ポリオレフィン（例えば、エチレン／プロピレンコポリマー）、および多機能性粘度改善剤（分散性粘度調整剤（分散性および粘度の両方の改善を与える）を含む）が挙げられる。鋳込み温度降下剤は、特に有用な型の添加剤であり、しばしば、潤滑油中に含まれ、通常は、ポリメタクリレート、スチレンベースのポリマー、架橋アルキルフェノール、またはアルキルナフタレンのような基質を含む。例えば、Ｃ．Ｖ．ＳｍａｌｈｅｅｒおよびＲ．Ｋｅｎｎｅｄｙ  Ｓｍｉｔｈによる「Ｌｕｂｒｉｃａｎｔ  Ａｄｄｉｔｉｖｅｓ」の８ページ（Ｌｅｓｉｕｓ−Ｈｉｌｅｓ  Ｃｏｍｐａｎｙ  Ｐｕｂｌｉｓｈｅｒｓ，Ｃｌｅｖｅｌａｎｄ，Ｏｈｉｏ，１９６７）を参照のこと。摩擦調整剤は公知の添加剤であり、脂肪アミン、エステル、特にグリセロールエステル（例えば、モノオレイン酸グリセロール、ホウ素化グリセロールエステル、脂肪亜リン酸塩、脂肪酸アミド、脂肪エポキシド、ホウ素化脂肪エポキシド、アルコキシル化脂肪アミン、ホウ素化アルコキシル化脂肪アミン、脂肪酸の金属塩、硫酸化オレフィン、脂肪イミダゾール、カルボン酸の縮合産物、ポリアルキレンポリアミン、アルキルリン酸のアミン塩、およびモリブデンジチオカルバメート（ＭＯ  ＩＶ、Ｖ、またはＶＩ））を含み得る。安定な泡の形成を減少または防止するのに使用される発泡防止剤としては、ケイ素または有機ポリマーが挙げられる。これらおよびさらなる発泡防止組成物の例は、Ｈｅｎｒｙ  Ｔ．Ｋｅｒｎｅｒによる「Ｆｏａｍ  Ｃｏｎｔｒｏｌ  Ａｇｅｎｔｓ」（Ｎｏｙｅｓ  Ｄａｔａ  Ｃｏｒｐｏｒａｔｉｏｎ，１９７６）、１２５−１６２ページに記載されている。本発明と組み合わせて使用され得るこれらおよび他の添加物の多くは、米国特許第４，５８２，６１８号（第１４欄第５２行〜第１７欄第１６行、包括）においてより詳細に記載される。
【００７０】
本明細書中で使用される場合、用語「ヒドロカルビル置換基」または「ヒドロカルビル基」は、当業者に周知のその通常の意味で使用される。特に、分子の残りの部分に直接結合した炭素原子を有し、炭化水素特性を主に有する基をいう。ヒドロカルビル基の例としては、以下が挙げられる：
炭水化物置換基、すなわち、脂肪族（例えば、アルキルまたはアルケニル）、脂環式（例えば、シクロアルキル、シクロアルケニル）置換基、ならびに芳香族、脂肪族、および脂環式置換芳香族置換基、ならびに環式置換基（ここで、環は、その分子の別の部分を通して完成する（例えば、２つの置換基が一緒になって環を形成する）；
置換炭水化物置換基、すなわち、非炭水化物基（本発明の関係で、その置換基の炭水化物性の大部分を変更しない）を含有する置換基（例えば、ハロ（特に、クロロおよびフルオロ）、ヒドロキシ、アルコキシ、メルカプト、アルキルメルカプト、ニトロ、ニトロソ、およびスルホキシ）；
ヘテロ置換基、すなわち、本発明の関係で、主に炭水化物特性を有しつつ、そうでなければ炭素原子で構成される環または鎖に炭素以外を含む置換基。ヘテロ原子としては、硫黄、酸素、窒素が挙げられ、そしてピリジル、フリル、チエニル、およびイミダゾリルのような置換基を含む。一般的に、２つ以下、好ましくは１つ以下の非炭水化物置換基が、ヒドロカルビル基中の１０個毎の原子に対して存在し；代表的には、ヒドロカルビル基中に非炭水化物置換基が存在しない。
【００７１】
上記物質のいくつかは、最終処方物中で相互作用し得、その結果、最終処方物の成分が、最初に添加した成分と異なり得る。例えば、金属イオン（例えば、界面活性剤の金属イオン）は、他の分子の他の酸性またはアニオン性部位に移動し得る。それによって形成される産物（その意図する用途において本発明の組成物を用いた場合に形成される産物を含む）は、簡単に記載するのは困難であり得る。そうであるにも関わらず、全てのこのような改良および反応産物は、本発明の範囲に含まれる；本発明は、上記成分を混合することによって調整された組成物を包含する。
【実施例】
【００７２】
（実施例１）
１４５Ｎ塩基性油中で、以下の添加成分を含む処方物を調製する（量は重量％で表す）：
４０％の油を含有する４．２４％の縮合アミンスクシンイミド分散剤、
２７％の油、６３％の基質を含有する１．２４％Ｃａフェネート界面活性剤、ＴＢＮ１４５（従って、処方物に対して０．７８％の基質を与える）、
４７％の油、３８％の基質を含有する１．２４％  Ｃａアルキルベンゼンスルホン酸界面活性剤、ＴＢＮ８５（従って、処方物に対して０．４７％の基質を与える）、
９％の油、＜０．０１％の市販のケイ素消泡剤を含有する１．０％ヒンダードフェノールエステル抗酸化剤、市販品０．３％ジ（第２級アルキル）ジチオリン酸亜鉛。
処方物は、０．０３重量％のリンおよび１．３％の基質を含む。
【００７３】
上記処方物を、パネルコカイン試験に供する。これは、試験油を１０５℃で４時間、３２５℃で維持されたアルミニウムパネルにかける工程を包含する試験である。得られた堆積物のデジタル画像化は、０〜１００の規模のＵｎｉｖｅｒｓａｌ  Ｒａｔｉｎｇを提供し、より高い等級はより良い性能を示す。上記処方物は、１００のＵｎｉｖｅｒｓａｌ  Ｒａｔｉｎｇを有する。参照目的で、同じ処方物を、さらなるジアルキルチオリン酸亜鉛を添加してその処方物において合計０．０９重量％のリンを提供するよう再処方する。この参照処方物は、７９のＵｎｉｖｅｒｓａｌ  Ｒａｔｉｎｇを示し、これは、０．０８％未満のリンを含有する処方物が特に望ましくあり得ることを示している。
【００７４】
（実施例２）
０．９５％のＣａフェネート界面活性剤の混合物、平均ＴＢＮ  ２１６、油のパーセント３５、および基質のパーセント４７を使用することを除いて、実施例１を実質的に繰り返す；１．６３％のＣａアルキルベンゼンスルホン酸界面活性剤の混合物、平均ＴＢＮ  ２１７、油のパーセント４４、および基質のパーセント３２を使用し、さらに、１．０％のホルムアルデヒド結合Ｍｇフェネート界面活性剤（サリゲニン界面活性剤）、ＴＢＮ  ６９、５０％油および４７％基質含有、を使用する。この処方物は、１．５％の基質を含有する。
【００７５】
（実施例３）
１．１９％のＣａフェネート界面活性剤の混合物、平均ＴＢＮ  ２１５、油のパーセント３５、および基質のパーセント４７を使用することを除いて、実施例１を実質的に繰り返す；そして１．８３％のＣａアルキルベンゼンスルホン酸界面活性剤の混合物、平均ＴＢＮ  ２０７、油のパーセント４４、および基質のパーセント３２を使用する。この処方物は、１．２％の基質を含有する。
【００７６】
（実施例４）
Ｃａフェネート界面活性剤およびＣａスルホネート界面活性剤を、２．１％のＭｇフェネート界面活性剤、ホルムアルデヒド結合、ＴＢＮ  ６９、５０％の油および４７％の基質含有；０．６％  Ｃａアルキルベンゼンスルホン酸界面活性剤、ＴＢＮ  ４００、４２％の油および１９％の基質含有；ならびに１．０４％のＣａアルキルフェネートスルフィド界面活性剤、ＴＢＮ  ２５５、３９％の油および３８％の基質含有で置換することを除いて実施例１を実質的に繰り返す。この処方物は、１．５％の基質を含有する。
【００７７】
これまでに言及した各文献は、本明細書中に参考として援用される。実施例を除いて、またはそうでないことが明示的に示される場合、物質量、反応条件、分子量、炭素原子数などを特定する記載における全ての数値は、単語「約」によって修飾されていることが理解されるべきである。そうでないことが示されない限り、本明細書中で言及される各化学物質または組成物は、市販の等級の物質であり、異性体、副産物、誘導体、および通常市販等級に存在すると理解される他のそのような物質を含み得ると解釈されるべきである。しかし、各化学成分の量は、そうでないことが示されない限り、市販物質に通常存在し得る任意の溶媒または希釈油を除いて表される。本明細書中に示される量、範囲、および比の上限および加減は、独立して組み合わされ得ることが理解されるべきである。同様に、本発明の各エレメントの範囲および量は、任意の他のエレメントの範囲または量と一緒に使用され得る。本明細書中で使用される場合、表現「本質的に〜からなる」は、考慮する組成物の塩基性および新規の特性に物質的に影響を与えない物質を含むことを許容する。
【国際調査報告】
2005526897.tif 000012
2005526897.tif 000013
2005526897.tif 000014